(57)【要約】【課題】下皿から上皿へ遊技球を移し替える煩わしさを解消しつつ、払い出しがあったにも拘わらず発射が途切れるといった状況を極力防止すると共に、皿満杯時の下皿からの球抜きの手間を解消し得る弾球遊技機を提供する。【解決手段】遊技領域に向けて遊技球を発射する発射手段１０と、遊技領域内の入賞手段への入賞に基づいて遊技球を払い出す払い出し手段５６と、遊技球貯留可能な上皿８と、この上皿８の下流側に連通可能に設けられた遊技球貯留可能な下皿９とを備えた弾球遊技機で、下皿９から発射手段１０に向けて遊技球を供給する下皿発射球供給通路１０５と、払い出し手段５６の下流側に連通し且つ遊技機本体の前側に向けて開口する機外排出口１１と、払い出し手段５６からの遊技球の払い出し先を上皿８と下皿９と機外排出口１１との何れかに切り換える払い出し切換手段とを備えたものである。【選択図】図４
2008093130.tif 000002
【特許請求の範囲】
【請求項１】
遊技領域（３３）に向けて遊技球を発射する発射手段（１０）と、前記遊技領域（３３）内の入賞手段への入賞に基づいて遊技球を払い出す払い出し手段（５６）と、遊技球貯留可能な上皿（８）と、この上皿（８）の下流側に連通可能に設けられた遊技球貯留可能な下皿（９）とを備えた弾球遊技機において、前記下皿（９）から前記発射手段（１０）に向けて遊技球を供給する下皿発射球供給通路（１０５）と、前記払い出し手段（５６）の下流側に連通し且つ遊技機本体（１）の前側に向けて開口する機外排出口（１１）と、前記払い出し手段（５６）からの遊技球の払い出し先を前記上皿（８）と前記下皿（９）と前記機外排出口（１１）との何れかに切り換える払い出し切換手段（７６）とを備えたことを特徴とする弾球遊技機。
【請求項２】
前記払い出し切換手段（７６）は、前記上皿（８）及び前記下皿（９）の貯留状況に応じて自動的に動作するように構成されていることを特徴とする請求項１に記載の弾球遊技機。
【請求項３】
前記払い出し切換手段（７６）は、払い出し先の優先順位が、前記下皿（９）、前記上皿（８）、前記機外排出口（１１）の順に設定されていることを特徴とする請求項２に記載の弾球遊技機。
【請求項４】
前記払い出し切換手段（７６）による切換状況を報知する払い出し報知手段（８０）を備えたことを特徴とする請求項１〜３の何れかに記載の弾球遊技機。
【請求項５】
前記上皿（８）から前記発射手段（１０）に向けて遊技球を供給する上皿発射球供給通路（１２１）と、前記発射手段（１０）への遊技球の供給元を前記下皿発射球供給通路（１０５）と前記上皿発射球供給通路（１２１）との何れかに切り換える発射球供給経路切換手段（１２２）とを備えたことを特徴とする請求項１〜４の何れかに記載の弾球遊技機。
【請求項６】
前記発射球供給経路切換手段（１２２）による切換状況を報知する発射球供給経路報知手段（１４０）を備えたことを特徴とする請求項５に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機では、遊技機本体の前側に上皿と下皿とを上下に配置し、賞球等は上皿側に払い出すと共に、その上皿内の遊技球を発射手段に供給して発射し、上皿が満杯になったときの溢れ球やファール球を下皿側に案内するように構成されたものが一般的である。
【０００３】
この種の弾球遊技機では、下皿内に遊技球が貯留された状態で上皿側の遊技球が少なくなってきた場合には、遊技者は下皿側の遊技球を手で上皿側に移し替える必要があり、非常に手間であった。
【０００４】
そこで、特許文献１に記載の発明では、上皿から下皿へと遊技球を流下させる連絡通路を形成し、下皿内の遊技球を発射手段に供給するように構成することにより、遊技球の貯留量を維持しつつ、下皿から上皿へ遊技球を移し替える煩わしさを解消している。
【特許文献１】特開２００２−３３６４３８号公報
【発明の開示】
【発明が解決しようとする課題】
【０００５】
特許文献１に記載の発明では、上皿に払い出された遊技球が発射手段に到達するまでの経路が長いため、例えば手持ちの遊技球が残り僅かになったときに賞球が払い出されたような場合、その賞球が上皿から連絡通路、下皿を経て発射手段に到達するまでに発射球が底をつき、しばらく発射が途絶えてしまうような状況が起こりやすい欠点があった。
【０００６】
また、下皿から上皿にかけて遊技球が満杯になった場合には、従来通り、下皿側の球抜き口から適当な量の遊技球を手動で抜き取る必要があった。
【０００７】
本発明は、上記事情に鑑みてなされたものであり、下皿から上皿へ遊技球を移し替える煩わしさを解消しつつ、払い出しがあったにも拘わらず発射が途切れるといった状況を極力防止すると共に、皿満杯時の下皿からの球抜きの手間を解消し得る弾球遊技機を提供することを目的とする。
【課題を解決するための手段】
【０００８】
本発明は、遊技領域３３に向けて遊技球を発射する発射手段１０と、前記遊技領域３３内の入賞手段への入賞に基づいて遊技球を払い出す払い出し手段５６と、遊技球貯留可能な上皿８と、この上皿８の下流側に連通可能に設けられた遊技球貯留可能な下皿９とを備えた弾球遊技機において、前記下皿９から前記発射手段１０に向けて遊技球を供給する下皿発射球供給通路１０５と、前記払い出し手段５６の下流側に連通し且つ遊技機本体１の前側に向けて開口する機外排出口１１と、前記払い出し手段５６からの遊技球の払い出し先を前記上皿８と前記下皿９と前記機外排出口１１との何れかに切り換える払い出し切換手段７６とを備えたものである。
【発明の効果】
【０００９】
本発明によれば、遊技球の払い出し先を上皿８と下皿９と機外排出口１１との何れかに切り換えることができるため、下皿９から上皿８へ遊技球を移し替える煩わしさを解消できる。また、例えば下皿９が満杯になるまでは払い出し先を下皿９側に設定しておけば、払い出された遊技球が下皿９に迅速に供給されるため、払い出しがあったにも拘わらず発射が途切れるといった状況を極力防止することが可能である。更に、払い出し先を遊技機外に設定できるため、皿満杯時の下皿からの球抜きの手間を解消できる利点もある。
【発明を実施するための最良の形態】
【００１０】
以下、本発明の実施形態を図面に基づいて詳述する。図面は本発明をパチンコ機として具現化した実施例を示す。図１及び図２において、遊技機本体１は、矩形枠状の外枠２と、この外枠２の前側に配置された前枠３とを備えている。前枠３は左端側の上下一対のヒンジ４ａを介して外枠２に着脱及び開閉自在に装着されている。
【００１１】
前枠３の上部側には遊技盤５が着脱自在に装着されると共に、遊技盤５の前側にガラス扉６が、ガラス扉６の下側に前面板７が夫々配置されている。ガラス扉６、前面板７はヒンジ４ａと同一側のヒンジ４ｂ（図３）により前枠３に開閉自在に枢支されている。
【００１２】
前面板７には、遊技球貯留用の上皿８と下皿９とが上下に配置され、下皿９の一側、例えば向かって右側には、遊技球を発射する発射手段１０を操作するための発射ハンドル１０ａが前向き突出状に設けられている。
【００１３】
また、前面板７には、上皿８内に向けて開口する上皿排出口８ａと、下皿９内に向けて開口する下皿排出口９ａとが例えば前向き開口状に設けられ、更に機外排出口１１が、例えば下皿９の下側に下向き等の開口状に設けられている。
【００１４】
また、前枠３の前側の所定位置、例えば上皿８の側方には、操作パネル部１３が設けられている。この操作パネル部１３には、図３に示すように、図外の自動球貸し機用の球貸しボタン１３ａ、返却ボタン１３ｂの他、後述する払い出し切換手段７６用の払い出し切換ボタン１３ｃが設けられている。
【００１５】
前面板７の後側には、発射手段１０と、下皿９側の遊技球を発射手段１０側に１個ずつ供給する球送り手段２１とが配置され、例えば前枠３の前側に着脱自在に装着されている。
【００１６】
発射手段１０は、図６等に示すように、遊技球を発射方向に案内する発射レール２２、前後方向の軸回りに揺動自在に支持された打撃槌２３、この打撃槌２３を揺動駆動する発射駆動ソレノイド（図示省略）等を備え、取付板２４を介して前枠３側に装着されている。
【００１７】
球送り手段２１は、箱形の球送りケース２５、この球送りケース２５に設けられ且つ下皿９側に開口する球導入口２６、球送りケース２５に設けられ且つ発射レール２２側に開口する球供給口２７、球送りケース２５内に設けられ且つ球導入口２６に流入した遊技球を１個ずつ球供給口２７側に送る球送り部材（図示省略）、球送りケース２５内に設けられ且つ球送り部材を駆動する球送り駆動手段（図示省略）等を備え、例えば発射レール２２の前側に配置されており、発射手段１０による発射動作に同期して球送り駆動手段が球送り部材を駆動して、遊技球を１個ずつ発射レール２２上に供給するようになっている。
【００１８】
遊技盤５は、ガラス扉６の後側に対応するように、前枠３の裏側の遊技盤装着枠３１に着脱自在に装着されている。遊技盤５の前面側には、図１に示すように、発射手段１０から発射された遊技球を案内するガイドレール３２が環状に装着されると共に、そのガイドレール３２の内側の遊技領域３３に、液晶表示手段３４の表示枠３５が設けられたセンターケース３６をはじめ、普通図柄始動手段３７、特別図柄始動手段３８、大入賞手段３９、普通入賞手段４０等の各種遊技部品が配置されている。
【００１９】
遊技盤５の裏側には、図２に示すように、センターケース３６等の遊技部品を裏側から覆う裏カバー４１が装着されている。裏カバー４１の裏側には、演出制御基板が格納された演出基板ケース４３と、主制御基板が格納された主基板ケース４５とが着脱自在に装着されている。
【００２０】
前枠３の後側には、遊技盤５を裏側から押圧して固定するための裏機構板５１が開閉自在に枢着されており、遊技盤装着枠３１の後側に設けられた複数の締結具５２により閉状態で固定可能となっている。
【００２１】
裏機構板５１には、その中央部に裏カバー４１が嵌合する開口部５３が形成され、この開口部５３の上側には遊技球タンク５４とタンクレール５５が、左右一側には払い出し手段５６が、下側には払い出し案内手段５７の他、電源基板が格納された電源基板ケース５９、払い出し制御基板が格納された払い出し基板ケース６１等が夫々設けられており、遊技球タンク５４内に貯留された遊技球がタンクレール５５を介して払い出し手段５６に供給され、遊技球が大入賞手段３９等に入賞したとき、或いは図外の自動球貸し機から球貸し指令があったときに、払い出し手段５６が作動して、所定個数の遊技球を払い出し案内手段５７側に払い出すようになっている。
【００２２】
続いて、払い出し手段５６により払い出された遊技球の誘導経路について詳しく説明する。まず、払い出し手段５６の下流側に配置される払い出し案内手段５７は、図４，図５等に示すように、払い出し手段５６側から払い出された遊技球が流入する流入通路部７１と、この流入通路部７１側からの遊技球を上皿排出口８ａ、下皿排出口９ａ、機外排出口１１に夫々誘導する上皿払い出し通路部７２、下皿払い出し通路部７３、機外払い出し通路部７４と、流入通路部７１側と上皿払い出し通路部７２、下皿払い出し通路部７３、機外払い出し通路部７４とを夫々連結する分岐通路部７５と、この分岐通路部７５において流入通路部７１側からの遊技球の流下先を上皿払い出し通路部７２、下皿払い出し通路部７３、機外払い出し通路部７４の何れかに切り換える払い出し切換手段７６とを備えている。
【００２３】
流入通路部７１は、払い出し手段５６の下側に例えば上下方向に配置されており、上端側が払い出し手段５６に、下端側が分岐通路部７５に夫々連結されている。
【００２４】
分岐通路部７５は、例えば左右方向に配置され、その底面７５ａが上流端側から下流端側にかけて緩やかな傾斜状に形成されており、その上流端側に流入通路部７１の下流端側が連結されている。また、分岐通路部７５には、例えばその底面７５ａ側に、上皿誘導口７７、下皿誘導口７８、機外誘導口７９の３つの誘導口が開口状に設けられている。
【００２５】
本実施形態では、これら３つの誘導口７７〜７９が、分岐通路部７５の上流側から下流側にかけて、上皿誘導口７７、機外誘導口７９、下皿誘導口７８の順序で一列状に配置されている。
【００２６】
払い出し切換手段７６は、図５に示すように、上皿誘導口７７を開閉可能な第１開閉手段８１と、機外誘導口７９を開閉可能な第２開閉手段８２と、払い出し切換制御手段８３と、払い出し切換ボタン１３ｃとを備えている。
【００２７】
第１開閉手段８１は、上皿誘導口７７に対応して例えば前後方向移動可能に設けられた第１開閉板８５と、この第１開閉板８５を、上皿誘導口７７を閉鎖する閉状態と開放する開状態とに切り換える電磁ソレノイド等よりなる第１開閉駆動手段８６とで構成されている。
【００２８】
同様に、第２開閉手段８２は、機外誘導口７９に対応して例えば前後方向移動可能に設けられた第２開閉板８７と、この第２開閉板８７を、機外誘導口７９を閉鎖する閉状態と開放する開状態とに切り換える電磁ソレノイド等よりなる第２開閉駆動手段８８とで構成されている。なお、最下流側の下皿誘導口７８については開閉手段は設けられておらず、常に開放されているものとする。
【００２９】
払い出し切換制御手段８３は、流入通路部７１側からの遊技球の流下先を上皿払い出し通路部７２、下皿払い出し通路部７３、機外払い出し通路部７４の何れかに切り換えるべく第１開閉駆動手段８６と第２開閉駆動手段８８とを駆動制御するもので、払い出し切換ボタン１３ｃによる設定内容に応じて作動するように構成されている。
【００３０】
払い出し切換ボタン１３ｃは、外部からのボタン操作により、賞球等の遊技球の払い出し先を、「上皿」、「下皿」、「機外」の３つのうちの何れかに設定できるようになっている。
【００３１】
払い出し切換制御手段８３は、図７に示すように、払い出し切換ボタン１３ｃにより払い出し先が「上皿」に設定された場合には、第１開閉駆動手段８６が開状態、第２開閉駆動手段８８が閉状態となるように制御して流入通路部７１側からの遊技球を上皿誘導口７７側に誘導し、「下皿」に設定された場合には、第１開閉駆動手段８６と第２開閉駆動手段８８とが共に閉状態となるように制御して流入通路部７１側からの遊技球を下皿誘導口７８側に誘導し、「機外」に設定された場合には、第１開閉駆動手段８６が閉状態、第２開閉駆動手段８８が開状態となるように制御して流入通路部７１側からの遊技球を機外誘導口７９側に誘導するように構成されている。
【００３２】
なお、最下流側の下皿誘導口７８は常に開放されているため、払い出し切換ボタン１３ｃにより払い出し先が「上皿」或いは「機外」に設定されている場合に、上皿誘導口７７或いは機外誘導口７９を飛び越えて下流側に流れてしまった遊技球は全てその下皿誘導口７８に流入する。
【００３３】
上皿払い出し通路部７２は、上皿誘導口７７と上皿排出口８ａとを接続するように配置され、払い出し切換手段７６により上皿誘導口７７側に流下した遊技球を上皿排出口８ａを介して上皿８に案内するように構成されている。
【００３４】
下皿払い出し通路部７３は、下皿誘導口７８と下皿排出口９ａとを接続するように配置され、払い出し切換手段７６により下皿誘導口７８側に流下した遊技球を下皿排出口９ａを介して下皿９に案内するように構成されている。
【００３５】
機外払い出し通路部７４は、機外誘導口７９と機外排出口１１とを接続するように配置され、払い出し切換手段７６により機外誘導口７９側に流下した遊技球を機外排出口１１を介して例えばその下側に置かれたいわゆるドル箱Ａ内に排出するように構成されている。
【００３６】
また、払い出し切換手段７６による払い出し切換状況は、払い出し報知手段８０により報知されるようになっている。払い出し報知手段８０は、図１及び図４に示すように、例えば上皿排出口８ａ、下皿排出口９ａ、機外排出口１１の近傍に夫々配置された表示ランプ８０ａ〜８０ｃにより構成されており、払い出し切換手段７６による払い出し切換状況に応じて、表示ランプ８０ａ〜８０ｃのうち、払い出し先に対応する１個が点灯等するように構成されている。
【００３７】
続いて、上皿８と下皿９との間の球誘導経路について説明する。上皿８と下皿９との間には、溢流通路９１と流下連絡通路９２との２種類の通路が設けられている。溢流通路９１は、図４及び図５に示すように、上皿払い出し通路部７２に設けられた溢流口９３と下皿排出口９ａとを接続するように配置され、上皿８内が満杯になって溢流口９３側に流れ込んだ遊技球を下皿排出口９ａを介して下皿９に案内するように構成されている。
【００３８】
流下連絡通路９２は、図４に示すように、上皿８内に設けられた流下口９２ａと下皿排出口９ａとを接続するように配置され、上皿８内の遊技球を下皿９側に流下させるようになっている。なお、上皿８内には、流下口９２ａ側に向けて緩やかに傾斜する上皿誘導経路９４（図３）が設けられており、上皿８内の遊技球はその上皿誘導経路９４に沿って流下連絡通路９２に向かって自然に流下するようになっている。
【００３９】
また、本実施形態では、流下連絡通路９２を開閉するための流下開閉手段１０１が設けられている。流下開閉手段１０１は、流下連絡通路９２上の所定位置においてその流下連絡通路９２を遊技球通過可能に開放する開状態と通過不能に閉鎖する閉状態とに切り換え可能な開閉板１０２と、この開閉板１０２を手動操作可能な流下開閉操作レバー１０３と、開閉板１０２を閉鎖側に付勢する付勢手段１０４とを備えており、遊技者が流下開閉操作レバー１０３を開方向に操作した場合に、開閉板１０２が付勢手段１０４の付勢力に抗して流下連絡通路９２を開放し、上皿８内の遊技球が下皿９側に流下するようになっている。
【００４０】
続いて、下皿９側からその下流側への球誘導経路について説明する。下皿９には、図４及び図６に示すように、発射手段１０に向けて遊技球を供給するための下皿発射球供給通路１０５と、下皿９内の遊技球を抜き取るための第１球抜き口１０６とが設けられている。
【００４１】
下皿発射球供給通路１０５は、下皿９内に設けられた下皿発射案内口１０７と、球送り手段２１の球導入口２６とを接続するように配置されており、下皿９内の遊技球を一列状に整列した状態で球送り手段２１側に案内するようになっている。
【００４２】
なお、下皿９内には、図６に示すように、下皿発射案内口１０７側に向けて緩やかに傾斜する下皿誘導経路１０８が設けられており、下皿９内の遊技球はその下皿誘導経路１０８に沿って下皿発射球供給通路１０５に向かって自然に流下するようになっている。
【００４３】
また、下皿発射球供給通路１０５には、その最下流側、即ち球送り手段２１の球導入口２６の直前の位置に、第２球抜き口１１１と、この第２球抜き口１１１を例えば手動により開閉可能な第２球抜き開閉手段１１２とが設けられている。
【００４４】
第２球抜き口１１１は、下皿発射球供給通路１０５内及びそれよりも上流側の遊技球を抜き取るためのもので、その下側には第２球抜き通路１１３が接続されている。第２球抜き開閉手段１１２は、通常は閉状態に保持されており、第２球抜きレバー１１２ａが操作されたときに第２球抜き口１１１を開放して、下皿発射球供給通路１０５側の遊技球を第２球抜き通路１１３側に流下させるようになっている。なお、第２球抜き通路１１３は、例えば下皿９の下側に載置されるドル箱Ａに対応して下向きに開放されている。
【００４５】
第１球抜き口１０６は、下皿９内の遊技球を抜き取るためのもので、例えば下皿発射案内口１０７の上流側近傍に設けられており、その下側には第１球抜き通路１１５が接続されている。また、この第２球抜き口１１１には例えば手動により開閉可能な第１球抜き開閉手段１１６が設けられている。第１球抜き開閉手段１１６は、通常は閉状態に保持されており、第１球抜きレバー１１６ａが操作されたときに第１球抜き口１０６を開放して、下皿９内の遊技球を第１球抜き通路１１５側に流下させるようになっている。なお、第１球抜き通路１１５は、例えば下皿９の下側に載置されるドル箱Ａに対応して下向きに開放されている。
【００４６】
以上のようなパチンコ機において、下皿９内に遊技球が貯留された状態では、それらの遊技球は下皿誘導経路９８に沿って発射案内口９７側に流下し、球送り手段２１の手前を先頭に下皿発射球供給通路１０５内に一列状に整列する。
【００４７】
遊技者が発射ハンドル１０ａを操作すると、発射手段１０の発射駆動ソレノイドが作動して打撃槌２３が揺動動作を開始すると共に、その発射動作に同期して球送り手段２１の球送り駆動手段が球送り部材を駆動して、下皿発射球供給通路１０５側の遊技球を１個ずつ発射レール２２上に供給する。これにより、発射レール２２上に供給された遊技球は順次打撃槌２３に打撃され、ガイドレール３２に沿って遊技領域３３内に案内される。
【００４８】
遊技領域３３内に打ち込まれた遊技球が普通入賞手段４０等に入賞すると、払い出し手段５６が作動して、賞球としてその入賞に応じた個数の遊技球が下流側に繰り出される。払い出し手段５６から繰り出された遊技球は、払い出し案内手段５７の流入通路部７１を経て分岐通路部７５に流入する。
【００４９】
ここで、例えば払い出し切換ボタン１３ｃにより遊技球の払い出し先が「下皿」に設定されていた場合には、払い出し切換制御手段８３の制御により、第１開閉駆動手段８６が上皿誘導口７７を、第２開閉駆動手段８８が機外誘導口７９を夫々閉鎖した状態となっているため（図７）、払い出し手段５６から繰り出された遊技球は全て下皿誘導口７８側に誘導され、下皿払い出し通路部７３を経て下皿排出口９ａから下皿９内に排出される。
【００５０】
なお、このように払い出し先が「下皿」に設定されている場合には、下皿排出口９ａに対応する表示ランプ８０ｂが点灯するため、遊技者は賞球が下皿９に払い出されることを容易に認識できる。
【００５１】
短期間に大量の賞球が払い出されて下皿９が満杯に近くなった場合には、遊技者が払い出し切換ボタン１３ｃを操作して払い出し先を例えば「上皿」に設定すると、払い出し切換制御手段８３の制御により、第２開閉駆動手段８８は機外誘導口７９を閉鎖した状態のまま、第１開閉駆動手段８６が上皿誘導口７７を開放する（図７）。これにより、それ以降に払い出し手段５６から繰り出された遊技球は、分岐通路部７５の最上流側に設けられた上皿誘導口７７側に誘導され、上皿払い出し通路部７２を経て上皿排出口８ａから上皿８内に排出される。また、上皿排出口８ａに対応する表示ランプ８０ａが点灯して、賞球が上皿８に払い出されることを遊技者に報知する。
【００５２】
なお、下皿９が満杯になったことを検出する下皿満杯検出スイッチを設け、この下皿満杯検出スイッチにより下皿９の満杯が検出された場合には例えば払い出し手段５６による払い出し動作を停止するように構成してもよい。
【００５３】
上皿８内に払い出された遊技球は、上皿誘導経路９４に沿って流下口９２ａ側に流下し、先頭の遊技球から順に流下連絡通路９２内に流入するが、通常状態では流下連絡通路９２は流下開閉手段１０１により閉鎖されているため、上皿８側の遊技球の下皿９側への流下は阻止される。
【００５４】
その後、下皿９内の遊技球が少なくなってきた場合には、遊技者が流下開閉操作レバー１０３を開方向に操作すれば、開閉板１０２が流下連絡通路９２を開放する方向に移動するため、流下連絡通路９２内の遊技球の流下が許容され、上皿８側の遊技球が下皿９側に移動する。
【００５５】
また、払い出し先が上皿８側に設定されている状態で上皿８が満杯になると、払い出し手段５６から払い出された遊技球は、上皿払い出し通路部７２の溢流口９３側に流れ込み、溢流通路９１を介して下皿排出口９ａから下皿９内に排出される。
【００５６】
またこのような場合には、遊技者が第１球抜きレバー１１６ａを開方向に操作すれば、第１球抜き開閉手段１１６により第１球抜き口１０６が開放されるため、下皿９内の遊技球は第１球抜き口１０６から第１球抜き通路１１５を経て例えば下皿９の下側に載置したドル箱Ａ内に排出される。
【００５７】
なお、溢流通路９１は溢流口９３と機外排出口１１とを接続するように配置してもよい。また、溢流通路９１に代えて、上皿８が満杯になったことを検出する上皿満杯検出スイッチを設け、この上皿満杯検出スイッチにより上皿８の満杯が検出された場合には例えば払い出し手段５６による払い出し動作を停止するように構成してもよい。
【００５８】
また、例えば下皿９と上皿８とが共に満杯に近くなった場合には、遊技者が払い出し切換ボタン１３ｃを操作して払い出し先を「機外」に設定すると、払い出し切換制御手段８３の制御により、第１開閉駆動手段８６が上皿誘導口７７を閉鎖し、第２開閉駆動手段８８が機外誘導口７９を開放する（図７）。これにより、それ以降に払い出し手段５６から繰り出された遊技球は、分岐通路部７５の略中央に設けられた機外誘導口７９側に誘導され、機外払い出し通路部７４を経て機外排出口１１から例えば下皿９の下側に載置したドル箱Ａ内に排出される。また、機外排出口１１に対応する表示ランプ８０ｃが点灯して、賞球が機外排出口１１から払い出されることを遊技者に報知する。
【００５９】
また、例えば遊技者が遊技をやめる場合には、第２球抜きレバー１１２ａを開方向に操作すれば、第２球抜き開閉手段１１２により第２球抜き口１１１が開放されるため、下皿発射球供給通路１０５内を含めて下皿９内の全ての遊技球を第２球抜き口１１１から第２球抜き通路１１３を経て例えば下皿９の下側に載置したドル箱Ａ内に抜き取ることができる。その際、例えば同時に流下開閉操作レバー１０３を開方向に操作すれば、上皿８側の遊技球を下皿９側に流下させることができるため、上皿８及び下皿９内の全ての遊技球を抜き取ることができる。
【００６０】
以上説明したように、本実施形態のパチンコ機は、下皿９から発射手段１０へと遊技球を供給する下皿発射球供給通路１０５と、払い出し手段５６の下流側に連通し且つ遊技機本体１の前側に向けて開口する機外排出口１１と、払い出し手段５６からの遊技球の払い出し先を上皿８と下皿９と機外排出口１１との何れかに切り換える払い出し切換手段７６とを備えているため、下皿９から上皿８へ遊技球を移し替える煩わしさを解消できる。
【００６１】
また、例えば下皿９が満杯になるまでは払い出し先を下皿９側に設定しておけば、払い出された遊技球が下皿９に迅速に供給されるため、払い出しがあったにも拘わらず発射が途切れるといった状況を極力防止することが可能である。更に、払い出し先を遊技機外に設定できるため、皿満杯時の下皿からの球抜きの手間を解消できる利点もある。
【００６２】
図８〜図１１は本発明の第２の実施形態を例示し、下皿９側から発射手段１０へと遊技球を供給する下皿発射球供給通路１０５の他に、上皿８から発射手段１０に向けて遊技球を供給する上皿発射球供給通路１２１を設け、更に発射手段１０への遊技球の供給元を下皿発射球供給通路１０５と上皿発射球供給通路１２１との何れかに切り換える発射球供給経路切換手段１２２を設けた例を示している。
【００６３】
本実施形態では、球送り手段２１の上流側に例えば連絡通路１２３を介して発射球供給経路切換手段１２２が設けられ、下皿９と発射球供給経路切換手段１２２との間に下皿発射球供給通路１０５が、上皿８と発射球供給経路切換手段１２２との間に上皿発射球供給通路１２１が夫々配設されている。
【００６４】
下皿発射球供給通路１０５は、下皿９内に設けられた下皿発射案内口１０７から発射球供給経路切換手段１２２の上流側に至るように緩やかな傾斜状に配設されている。
【００６５】
上皿発射球供給通路１２１は、上皿８内に設けられた流下口９２ａから発射球供給経路切換手段１２２の上流側に至るように配設されている。また、上皿発射球供給通路１２１は、少なくともその下流端側の所定範囲が下皿発射球供給通路１０５に隣接して略平行に配設されている。
【００６６】
発射球供給経路切換手段１２２は、図１１に示すように、下流端側が連絡通路１２３を介して球送り手段２１の球導入口２６に接続され、上流端側が、下皿発射球供給通路１０５側の下皿側供給口１０５ａに接続する下皿接続状態と上皿発射球供給通路１２１側の上皿側供給口１２１ａに接続する上皿接続状態とに変化可能な切換通路１３１と、この切換通路１３１を下皿接続状態と上皿接続状態とに切換駆動する電磁ソレノイド等よりなる切換駆動手段１３２とを備えている。
【００６７】
切換通路１３１は、例えばその下流端側に配置された上下方向の回転軸１３１ａ回りに揺動自在に設けられており、上流端側には、下皿接続状態のときに上皿側供給口１２１ａを略閉鎖して上皿発射球供給通路１２１側の遊技球の流下を規制する上皿側閉鎖片１３３と、上皿接続状態のときに下皿側供給口１０５ａを略閉鎖して下皿発射球供給通路１０５側の遊技球の流下を規制する下皿側閉鎖片１３４とを例えば一体に備えている。
【００６８】
また、例えば操作パネル部１３には、払い出し切換ボタン１３ｃの他に、発射球供給経路切換手段１２２用の発射球供給経路切換ボタン１３ｄが設けられており、切換駆動手段１３２は、この発射球供給経路切換ボタン１３ｄによる設定内容に応じて、切換通路１３１を下皿接続状態と上皿接続状態との何れかに切り換えるようになっている。
【００６９】
また、発射球供給経路切換手段１２２による発射球供給経路切換状況は、発射球供給経路報知手段１４０により報知されるようになっている。発射球供給経路報知手段１４０は、例えば上皿８、下皿９の近傍に夫々配置された表示ランプ１４０ａ，１４０ｂにより構成されており、発射球供給経路切換手段１２２による切換状況に応じて、表示ランプ１４０ａ，１４０ｂのうち、発射手段１０側への遊技球の供給元に対応する１個が点灯等するように構成されている。
【００７０】
また、例えば連絡通路１２３には、その最下流側、即ち球送り手段２１の球導入口２６の直前の位置に、第２球抜き口１１１と、この第２球抜き口１１１を例えば手動により開閉可能な第２球抜き開閉手段１１２とが設けられている。
【００７１】
第２球抜き口１１１は、発射球供給経路切換手段１２２の切換状況に応じて、下皿発射球供給通路１０５内及びそれよりも上流側又は上皿発射球供給通路１２１内及びそれよりも上流側の遊技球を抜き取るためのもので、その下側には第２球抜き通路１１３が接続されている。第２球抜き開閉手段１１２は、通常は閉状態に保持されており、第２球抜きレバー１１２ａが操作されたときに第２球抜き口１１１を開放して、連絡通路１２３の上流側の遊技球を第２球抜き通路１１３側に流下させるようになっている。なお、第２球抜き通路１１３は、例えば下皿９の下側に載置されるドル箱Ａに対応して下向きに開放されている。
【００７２】
なお、本実施形態では、上皿発射球供給通路１２１、発射球供給経路切換手段１２２等を設けたことにより第１の実施形態における流下連絡通路９２は省略したが、それらを共に設けることも可能である。また、本実施形態で特に言及した部分以外は第１の実施形態と同様の構成を採用できる。
【００７３】
以上のようなパチンコ機においては、遊技者が発射球供給経路切換ボタン１３ｄを操作することにより、発射手段１０への遊技球の供給元を下皿９側と上皿８側とに自由に切り換えることができるため、例えば下皿９、上皿８内の遊技球の貯留状況等に応じて発射手段１０への遊技球の供給を効率よく行うことができる利点がある。
【００７４】
以上、本発明の実施形態について詳述したが、本発明はこれらの実施形態に限定されるものではなく、本発明の趣旨を逸脱しない範囲で種々の変更が可能である。例えば、払い出し切換手段７６は、上皿８及び下皿９の貯留状況、遊技状態等に応じて自動的に動作するように構成してもよい。
【００７５】
例えば払い出し切換手段７６が上皿８及び下皿９の貯留状況に応じて自動的に動作するように構成する場合、例えば第１の実施形態のように発射手段１０への遊技球の供給を下皿９からのみ行う場合には、払い出し先の優先順位を、下皿９、上皿８、機外排出口１１の順に設定することが望ましい。
【００７６】
この場合、例えば下皿９、上皿８に夫々満杯検出スイッチを設け、通常状態における払い出し先を下皿９側に設定し、下皿９が満杯になることを条件に払い出し先を上皿８側に切り換え、下皿９と上皿８とが共に満杯になることを条件に払い出し先を機外排出口１１側に切り換えるように構成することが考えられる。
【００７７】
また、例えば第２の実施形態のように発射手段１０への遊技球の供給を下皿９側と上皿８側とに切り換え可能である場合には、その切換状況に応じて、下皿９と上皿８との優先順位を入れ替えるようにしてもよい。
【００７８】
実施形態では、流下連絡通路９２に手動により開閉可能な流下開閉手段１０１を設けた例を示したが、流下開閉手段１０１を省略して、例えば下皿９側の遊技球の減少に応じて上皿８側の遊技球が順次流下するように構成してもよい。また、流下開閉手段１０１を、下皿９側の貯留量等に応じて自動的に開閉するように構成してもよい。
【００７９】
また、実施形態では本発明をパチンコ機に適用した例を示したが、アレンジボール機等の他の弾球遊技機においても同様に実施可能であることは言うまでもない。
【図面の簡単な説明】
【００８０】
【図１】本発明の第１の実施形態を示すパチンコ機の全体正面図である。
【図２】本発明の第１の実施形態を示すパチンコ機の全体背面図である。
【図３】本発明の第１の実施形態を示す前面板の平面図である。
【図４】本発明の第１の実施形態を示す払い出し経路の概略構成を示す正面図である。
【図５】本発明の第１の実施形態を示す払い出し切換手段及びその周辺の概略構成を示す斜視図である。
【図６】本発明の第１の実施形態を示す発射球供給経路の概略構成を示す斜視図である。
【図７】本発明の第１の実施形態を示す払い出し切換制御手段による制御内容を示す図である。
【図８】本発明の第２の実施形態を示すパチンコ機の要部正面図である。
【図９】本発明の第２の実施形態を示す前面板の平面図である。
【図１０】本発明の第２の実施形態を示す払い出し経路及び発射球供給経路の概略構成を示す正面図である。
【図１１】本発明の第２の実施形態を示す発射球供給経路の概略構成を示す斜視図である。
【符号の説明】
【００８１】
１  遊技機本体
８  上皿
９  下皿
１０  発射手段
１１  機外排出口
３３  遊技領域
５６  払い出し手段
７６  払い出し切換手段
８０  払い出し報知手段
１０５  下皿発射球供給通路
１２１  上皿発射球供給通路
１２２  発射球供給経路切換手段
１４０  発射球供給経路報知手段
【図１】
2008093130.tif 000003
【図２】
2008093130.tif 000004
【図３】
2008093130.tif 000005
【図４】
2008093130.tif 000006
【図５】
2008093130.tif 000007
【図６】
2008093130.tif 000008
【図７】
2008093130.tif 000009
【図８】
2008093130.tif 000010
【図９】
2008093130.tif 000011
【図１０】
2008093130.tif 000012
【図１１】
2008093130.tif 000013